(57)【要約】      （修正有）【課題】開封後にピルファープルーフバンドを注出口に残すことなくピルファープルーフ性を高めたキャップを提供する。【解決手段】注出口４を覆うためのキャップであって、該キャップの初期開封が行われたことを示すためのピルファープルーフバンドを備えるキャップにおいて、ピルファープルーフバンドが１つ又は複数の、子ピルファープルーフバンド５からなり、前記ピルファープルーフバンドの内面には切断部材１２、閉塞部材９、複数の反発部材８からなる弾性部材を備えたことを特徴とするピルファープルーフバンド付きキャップである。【選択図】図３
2007153420.tif 000002
【特許請求の範囲】
【請求項１】
キャップの初期開封が行われたことを示すためのピルファープルーフバンドを備えるキャップにおいて、ピルファープルーフバンドが１つ又は複数の、子ピルファープルーフバンドからなるピルファープルーフバンド付きキャップであって、
前記子ピルファープルーフバンドと前記キャップとが、接続部分を介して連設し、該接続部分は、初期開封時に切断される接続部と、切断されない連結部と、からなり、
また、前記ピルファープルーフバンド内面には、弾性部材を備え、該弾性部材は、前記接続部を切断するための切断部材と、前記キャップと前記注出口との隙間を塞ぐための閉塞部材と、前記キャップと前記注出口とを一定距離にわたって離すための反発部材と、からなるピルファープルーフバンド付きキャップであって、
前記反発部材は、反発力を増すため、隣接した複数の反発部材からなることを特徴とするピルファープルーフバンド付きキャップ。
【請求項２】
前記反発部材の隣接した複数の反発部材同士を、繋ぎ合わせたことを特徴とする請求項１に記載のピルファープルーフバンド付きキャップ。
【請求項３】
前記複数の反発部材は、反発力を増すため、少なくとも１つの反発部材が肉厚であることを特徴とする請求項１に記載のピルファープルーフバンド付きキャップ。
【請求項４】
前記反発部材は、前記連結部に隣接して形成したことを特徴とすることを特徴とする請求項１乃至３に記載のピルファープルーフバンド付きキャップ。
【発明の詳細な説明】
【技術分野】
【０００１】
本発明は、注出口を覆うためのキャップであって、該キャップの初期開封が行われたことを示すためのピルファープルーフバンドを備えるキャップに関する。
【背景技術】
【０００２】
従来、注出口にキャップを取り付けたカートンが広く使用されている。この種のキャップでは、キャップを一旦外し、注出口本体を開封しても、キャップを元のように注出口本体のノズル部に締め込んでおくと、外観はキャップ開栓前となんら変わらない。このため、例えば、店頭にあるカートンの注出口に対して、誰かがいたずらでキャップを外し、開封等の改ざんを行っても、キャップを元通りにしておけば見分けがつかず、改ざんの有無を認識できないといった問題があった。
【０００３】
そこで、キャップ開栓の有無を容易に識別可能とするため、キャップを、注出口本体にねじ嵌合して取り付けるキャップ本体と、その下端に、キャップ本体の開栓時に破断可能な連結部を介して接続された、注出口本体から抜くことのできない構造のピルファープルーフバンドを備えたキャップが開示されている（例えば特許文献１）。この構成により、キャップを開栓すると連結部が破断され、ピルファープルーフバンドが注出口の下方に残るため、開栓の有無を見分けることができる。
【０００４】
【特許文献１】特開２００４-３１５００８号公報
【発明の開示】
【発明が解決しようとする課題】
【０００５】
しかし、このようなピルファープルーフバンドを備えたキャップは、開封時にキャップとピルファープルーフバンドとが分離することにより、ピルファープルーフ性を持たせているが、閉蓋するとキャップとピルファープルーフバンドとが再び一体構造となるため、初期開封前との見分けがつきにくいという問題があった。また開封後、ピルファープルーフバンドを残しておくためのスペースを注出口下方に設ける必要があるため、注出口を低く形成することが困難である。そこで本発明は、開封時のピルファープルーフ性を閉蓋時にも失うことなく、また開封後にピルファープルーフバンドを注出口に残すことないキャップを提供することにある。
【課題を解決するための手段】
【０００６】
上記の課題を解決するために、請求項１記載の発明は、キャップの初期開封が行われたことを示すためのピルファープルーフバンドを備えるキャップにおいて、ピルファープルーフバンドが１つ又は複数の、子ピルファープルーフバンドからなるピルファープルーフバンド付きキャップであって、前記子ピルファープルーフバンドと前記キャップとが、接続部分を介して連設し、該接続部分は、初期開封時に切断される接続部と、切断されない連結部と、からなり、また、前記ピルファープルーフバンド内面には、弾性部材を備え、該弾性部材は、前記接続部を切断するための切断部材と、前記キャップと前記注出口との隙間を塞ぐための閉塞部材と、前記キャップと前記注出口とを一定距離にわたって離すための反発部材と、からなるピルファープルーフバンド付きキャップであって、
前記反発部材は、反発力を増すため、隣接した複数の反発部材からなることを特徴とするピルファープルーフバンド付きキャップである。
【０００７】
請求項２記載の発明は、前記反発部材の隣接した複数の反発部材同士を、繋ぎ合わせたことを特徴とするピルファープルーフバンド付きキャップである。
【０００８】
請求項３記載の発明は、前記反発部材は、反発力を増すため肉厚であることを特徴とするピルファープルーフバンド付きキャップである。
【０００９】
請求項４に記載の発明によれば、前記反発部材は、前記連結部に隣接して形成したことを特徴とすることを特徴とするピルファープルーフバンド付きキャップである。
【発明の効果】
【００１０】
請求項１に記載の発明によれば、ピルファープルーフバンド付きキャップに形成された反発部材は、反発力を増すため、隣接した複数の反発部材からなることを特徴とするので、初期開封時、反発部材の反発力が増し、子ピルファープルーフバンドを大きく外側に開くことができるためピルファープルーフ性が向上する。
【００１１】
請求項２に記載の発明によれば、前記反発部材の隣接した複数の反発部材同士を、繋ぎ合わせたことを特徴とするので、反発部材の反発力が増加するとともに反発部材の耐久力が増すため、反発部材が長期間にわたって安定した反発力を維持することが可能である。
【００１２】
請求項３に記載の発明によれば、前記反発部材は、反発力を増すため肉厚であることを特徴とするので、反発部材の反発力がさらに増加して、子ピルファープルーフバンドを勢いよく外側に開くことが可能となり、ピルファープルーフ性を向上させる効果がある。
【００１３】
請求項４に記載の発明によれば、前記反発部材は、前記連結部に隣接して形成したことを特徴とすることを特徴とするから、子ピルファープルーフバンドの開度がより大きくなる効果がある。
【発明を実施するための最良の形態】
【００１４】
本発明によるピルファープルーフバンド付きキャップ１は、図１に示すように、キャップ本体２と、ピルファープルーフバンド３と、からなる。このピルファープルーフバンド３は、１つ又は複数の子ピルファープルーフバンド５からなる。そして、キャップ本体２は、円形状の天板部２Ｔと、天板部２Ｔより下方へ広がって形成されるテーパー部２Ｐと、テーパー部２Ｐより下方へ向かって形成される筒状の胴部２Ｄと、を備え、胴部２Ｄの外周面には全周に渡って複数の凹凸形状からなり、キャップの開閉時に滑り止めの役割をする、ローレットＡが形成されている。
【００１５】
注出口４は、図２に示すように、カートンＫに注出口４を貼り付けるためのフランジ部４Ｆと、筒状のノズル部４Ｎと、ノズル部４Ｎの内部を閉じる遮蔽部４Ｓと、遮蔽部４Ｓの一部を容易に開封しうるように設けられた開封用溝４Ｍと、開封用溝４Ｍで囲まれた領域に支柱部４Ｔを介して連結されたプルリング４Ｐと、を備えている。そして、ノズル部４Ｎの外周面には、キャップ本体２の内面に形成されたネジ山２Ｎとネジ嵌合するためのネジ山４Ｙが形成されている。
【００１６】
また、キャップ本体２と、ピルファープルーフバンド３と、の間には、全周に渡ってスリットＳが形成され、キャップ１をスリットＳより上側のキャップ本体２と、下側のピルファープルーフバンド３と、に分割している。また、注出口４のネジ山４Ｙの下方には、キャップ１の初期開封時に、キャップ本体２と、ピルファープルーフバンド３とを分離するための突起４Ｂが形成されており、キャップ１の初期開封と同時に、後述するピルファープルーフバンド３の内面に形成された羽根部材７の先端がこの突起４Ｂに引っ掛かることによりキャップ本体２と、ピルファープルーフバンド３とが分離される。
【００１７】
ピルファープルーフバンド３とキャップ本体２とは、接続部分６を介して接続される。そして、この接続部分６は、図３に示すように、初期開封と同時に破断する接続部１０と、初期開封時に破断しない連結部１１とからなる。そして、少なくとも一つの子ピルファープルーフバンド５の端部は、この連結部１１を介してキャップ本体２に連設されている。また、初期開封時に切断される接続部１０は、子ピルファープルーフバンド５の他方の端部付近から複数個形成される。
【００１８】
子ピルファープルーフバンド５の内面には、子ピルファープルーフバンドの下端部分より上方へ向けて形成される、複数の羽根部材７を有しており、この羽根部材７は、２つの第一羽根８と、１つの第二羽根９と、１つの第３羽根１２と、からなる。
これらの羽根部材７は、ピルファープルーフバンド３の下端部分からそれぞれ上方に向かって内傾しており、初期開封前は、羽根部材７の先端が注出口４の側壁４Ｈに接している。
特に、第三羽根１２（切断部材）の先端部分は、前述の注出口４に形成された突起４Ｂに当接しており、キャップ１の初期開封時に、キャップ本体２が上方に移動しても、ピルファープルーフバンド３の第三羽根１２の先端が、注出口４の突起４Ｂに引掛かかるため、ピルファープルーフバンド３は上方に移動できず接続部１０のみが切断される。そして、接続部１０が切断されると、隣接した２つの第一羽根８（反発部材）が注出口４の側壁４Ｈを押す反発力により、子ピルファープルーフバンド５が連結部１１を軸にして外側に開いてピルファープルーフ性を示すと同時にキャップ１の初期開封が終了する。特に、第一羽根８は前記連結部１１に隣接して形成することにより、子ピルファープルーフバンドを外側に向けて大きく開くことができる。
【００１９】
上記キャップ１は、成型によって最終形状に、すなわち、キャップ本体２と、ピルファープルーフバンド３とが、接続部分６を介して連設した形態に製造してもよいが、これに代えて、キャップ本体２とピルファープルーフバンド３とが全周にわたって繋がった形態に成型し、キャップ本体２とピルファープルーフバンド３との境界を、前記接続部分６を除いてスリットすることで分離した構成とすることが好ましい。
例えば、キャップ本体２とピルファープルーフバンド３内面に複数の羽根部材７を備えたピルファープルーフバンド３とが連結した一体構造で成型し、このキャップ１のキャップ本体２とピルファープルーフバンド３との境界を、適当なカッター刃によりスリットすることができる。このようにすると、キャップ本体２とピルファープルーフバンド３とを微小な厚さのスリットＳで分離でき、スリットＳが目立たないため、初期開封の有無が容易にわかるとともにキャップ１の全高を低く抑えることができるといった利点が得られる。
【００２０】
また、ピルファープルーフバンド３とキャップ本体２との間を切断するスリット作業時において、ピルファープルーフバンド３の内面に形成された閉塞部材９と、切断部材１２と、の先端部分が、注出口４の側壁４Ｈに当接することにより、スリット作業時、キャップ１の下端が内側にたわむことなく、安定したスリット作業が可能となる。
【００２１】
以下、本発明のピルファープルーフバンド付きキャップの構成と作用について説明する。図４は、左右に２つの子ピルファープルーフバンド５からなるピルファープルーフバンド３の上面図である。子ピルファープルーフバンド５の内面には、４つの羽根部材７が形成されている。この羽根部材７は、ピルファープルーフバンド３と注出口４とに形成された隙間を塞ぐための１つの第二羽根９（閉塞部材）と、初期開封時に注出口４の側壁４Ｈを押してピルファープルーフバンド３を注出口４より一定距離隔てるための反発力を有する隣接した２つの第一羽根（８ａ、８ｂ）（反発部材）と、初期開封時にキャップ本体２と、ピルファープルーフバンド３とを分離するための１つの第三羽根１２（切断部材）と、からなる。
前記２つの第一羽根（８ａ、８ｂ）と、１つの第二羽根９は、ピルファープルーフバンド３内面の下端部分近から上方（あるいは上方から下方）へ向かって内傾して設けられており、前記第三羽根１２は、ピルファープルーフバンド３内面の下端部分から上方へ向かって内傾して設けられている。
【００２２】
また、前記隣接した複数の第一羽根（反発部材）（８ａ、８ｂ）は、図５に示すように、第一羽根同士を、繋ぎ合わせた形状としても良く、この形状により第一羽根８は、時間の経過とともに反発力が減ずることなく、長期間にわたって安定した反発力を維持することが可能となる。
さらには、第一羽根８は、図６に示すように、第一羽根８と、ピルファープルーフバンド３との繋がる部分Ｄを、肉厚としても良く、この肉厚部分Ｄによって第一羽根８は、反発力をさらに増すことが可能となる。
【００２３】
キャップ１初期開封前は、子ピルファープルーフバンド５の第一羽根８と第二羽根９の内傾角は、子ピルファープルーフバンド５とキャップ本体２とが接続部分６により繋がっており、注出口４の側壁４Ｈと密接しているため、初期開封後の内傾角度より小となる。そして、キャップ１の初期開封が行われると、子ピルファープルーフバンド５と、キャップ本体２との接続部１０が破断するが、このとき１つの子ピルファープルーフバンド５の片側の端部は連結部１１を介してキャップ本体２と連結しているため、この連結部１１を軸に子ピルファープルーフバンド５が注出口４に対して外側へ開くこととなる。すなわち、キャップ１の初期開封時は、それぞれの子ピルファープルーフバンド５の第一羽根８（反発部材）が、通常の内傾角度に開こうとする反発力を注出口４の側壁４Ｈに与えることにより、子ピルファープルーフバンド５は連結部１１を軸として、第一羽根８の先端部分が側壁４Ｈを押した距離で開いた状態となる。また、反発部材８は連結部１１近傍に設けられている。一方、切断部材１２は接続部１０近傍に設けられている。このように構成することにより、キャップ１の初期開封時において、連結部１１近傍の反発部材８による子ピルファープルーフバンド５の開度がより大きくなる。
【００２４】
このように、ピルファープルーフバンド３を複数の子ピルファープルーフバンド５に分割して組み合わせることによりそれぞれの子ピルファープルーフバンド５の反発部材９が初期開封時において、注出口４の側壁４Ｈを押すことにより子ピルファープルーフバンド５を開くため、図５に示すようにキャップ１が初期開封済みであることが容易に認識可能である。また、初期開封後においても、ピルファープルーフバンド３とキャップ本体２とが完全に分離せず、連結部１１を介して繋がっているため、キャップ１開封後、再びキャップ１を閉じてもピルファープルーフバンド３が注出口４の側壁４Ｈを押して再度広がるため初期開封済みであることが一目で確認できる。また、複数の子ピルファープルーフバンド５が綺麗な曲線形状を描くため、見た目にも美しく楽しいイメージのキャップ１を提供することができる。
【００２５】
上記した構成のキャップ本体２及び注出口４の材料には、従来の注出口に用いられる材料を適宜使用すればよく、例えば、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【図面の簡単な説明】
【００２６】
【図１】本発明のピルファープルーフバンド付きキャップを示す上方斜視図である。
【図２】本発明のピルファープルーフバンド付きキャップを示す縦断面図である。
【図３】本発明のピルファープルーフバンド付きキャップを上方斜視図である。
【図４】本発明のピルファープルーフバンド付きキャップを示す上面図である。
【図５】本発明のピルファープルーフバンド付きキャップの別の例を示す上面図である。
【図６】本発明のピルファープルーフバンド付きキャップの別の例を示す縦断面図である。
【図７】本発明のピルファープルーフバンド付きキャップをカートンに取り付けた例を示す斜視図である。
【符号の説明】
【００２７】
１  キャップ
２  キャップ本体
３  ピルファープルーフバンド
４  注出口
５  子ピルファープルーフバンド
６  接続部分
７  羽根部材（弾性部材）
８、８ａ、８ｂ  第一羽根（反発部材）
９  第二羽根（閉塞部材）
１０  接続部
１１  連結部
１２  第三羽根（切断部材）
Ｓ  スリット
２Ｎ  ねじ山
２Ｔ  天板
２Ｄ  胴部
２Ｐ  テーパー部
４Ｈ  側壁
４Ｓ  遮蔽部
４Ｎ  ノズル部
４Ｍ  開封用溝
４Ｆ  フランジ部
４Ｙ  ねじ山
４Ｐ  プルリング
４Ｔ  支柱
Ｋ    カートン
【図１】
2007153420.tif 000003
【図２】
2007153420.tif 000004
【図３】
2007153420.tif 000005
【図４】
2007153420.tif 000006
【図５】
2007153420.tif 000007
【図６】
2007153420.tif 000008
【図７】
2007153420.tif 000009